(57)【要約】【課題】  僅かな製造費及び工具費で多様な調節可能性を持つ種々の背もたれの構成を可能にし、異なる金具の使用を可能にする。【解決手段】  車両座席用背もたれ梁は、座枠側金具部分（８，１２）に関節結合するための下部接続部（３）を有し、下部接続部（３）より上に、缶状金具又は中間フランジの取付け用上部接続部（２）が形成され、両方の接続部（２，３）の間に所定分離個所（６）が延びており、この所定分離個所（６）により標準背もたれ梁（１）が、上部接続部（２）を持つ短い背もたれ梁と下部接続部（３）を持つ分離部分とに分離可能である。【選択図】図１
2006181367.tif 000002
【特許請求の範囲】
【請求項１】
車両座席用背もたれ梁であって、座枠側金具部分（８，１２）に関節結合するための下部接続部（３）を有するものにおいて、下部接続部（３）より上に、缶状金具（１１，１４）又は中間フランジ（２０，２４，２８，３６）の取付け用上部接続部（２）が形成され、両方の接続部（２，３）の間に所定分離個所（６）が延びており、この所定分離個所（６）により標準背もたれ梁（１）が、上部接続部（２）を持つ短い背もたれ梁（１６）と下部接続部（３）を持つ分離部分（１７）とに分離可能であることを特徴とする、背もたれ梁。
【請求項２】
接続部（２，３）が、それぞれ中心穴（４）とこの中心穴（４）を同心的に包囲する複数の外側穴（５）とを持っていることを特徴とする、請求項１に記載の背もたれ梁。
【請求項３】
下部接続部（３）又は上部接続部（２）に、標準背もたれ梁（１）の快適範囲内で傾斜個節用のフランジ金具（８）が取付け可能であることを特徴とする、請求項１又は２に記載の背もたれ梁。
【請求項４】
下部接続部（３）又は上部接続部（２）に、係止調節又は回転調節用の缶状金具（１１）が取付け可能であることを特徴とする、請求項１〜３の１つに記載の背もたれ梁。
【請求項５】
分離部分（１７）が分離される際にも分離されない際にも、上部接続部（２）に、傾斜調節用及び機能位置へ前方揺動するため揺動機能の開始用の缶状金具（１４）が取付け可能であることを特徴とする、請求項１〜４の１つに記載の背もたれ梁。
【請求項６】
上部接続部（２）に、下部フランジ金具（８）の連結用中間フランジ（２０）又は下部缶状金具（１１）の連結用中間フランジ（２４）が取付け可能であることを特徴とする、請求項１〜５の１つに記載の背もたれ梁。
【請求項７】
短い背もたれ梁（１６）として構成する際上部接続部（２）に、直立使用位置及び上部背もたれ軸線（Ｂ）の周りに前方揺動される機能位置の設定用揺動段（２８，３６）が取付け可能であり、短い背もたれ梁（１６）に、使用位置及び機能位置の鎖錠用鎖錠装置（３２）が取付けられていることを特徴とする、請求項１〜６の１つに記載の背もたれ梁。
【請求項８】
鎖錠装置（３２）が、ばねの予荷重を受けて使用位置及び機能位置で切欠き（３０）へはまる爪（３２）であることを特徴とする、請求項７に記載の背もたれ梁。
【請求項９】
請求項１〜８の１つに記載の背もたれ梁（１）、金具部分（８，１２，１５）及び中間フランジ（２０，２４，２８，３６）から成り、金具部分（８，１２，１５）及び中間フランジ（２０，２４，２８，３６）が、分割されない背もたれ梁（１）の接続部（２，３）又は所定分離線（６）に沿う分離により形成される短い背もたれ梁（１６）の接続部（２）において選択的に取付け可能であることを特徴とする、モジュールシステム。
【請求項１０】
選択的に上部接続部（２）において、傾斜調節及び／又は揺動調節用上部背もたれ揺動軸線（Ｂ）が形成可能であり、
下部接続部（３）又は金具（８）あるいは中間フランジ（２０，２４，２８，３６）の接続部において、傾斜調節用下部背もたれ揺動軸線（Ａ）が形成可能である
ことを特徴とする、請求項９に記載のモジュールシステム。
【発明の詳細な説明】
【技術分野】
【０００１】  本発明は、請求項１の上位概念に記載の車両用背もたれ梁に関する。
【背景技術】
【０００２】  ドイツ連邦共和国特許出願公開第１０３１５３７５号明細書は、座部分に対する背もたれの傾斜調節のための車両座席用金具装置を示しており、第１の金具は座部分に取付けられ、第１の金具部分より上に設けられてこれと結合される第２の金具部分は背もたれに取付けられている。背もたれは、第１の金具部分の解錠後、種々の直立使用位置と場合によっては後方へ傾斜した横たわり位置との間で調節可能であり、第２の金具部分の解錠後、直立した使用位置と前方へ揺動したテーブル位置との間で調節可能である。両方の金具は完全に機能する調節金具として別々に構成されている。【０００３】  ドイツ連邦共和国特許出願公開第１９６３５７４０号明細書は、座部分クッションと結合される第１の板素子及びこの板素子に回転可能に支持されかつ背もたれに取付けられる第２の板素子とを持つ背もたれ回動装置を示している。阻止爪が両方の板素子の一方により支持され、他方の板素子に阻止爪に係合する係合ほぞが設けられている。これにより両方の板素子の相対回転運動が制限される。両方の板素子は、固定接続部において背もたれ及び座部分クッションに取付けられている。【０００４】  ドイツ連邦共和国特許出願公開第４４００９１１号明細書に示す車両座席では、その背もたれに上部金具部分が、またその座部分には下部金具部分が、それぞれ接続部において固定的に取付けられ、両方の金具部分は調節揺動片を介して２つの別個の継手で結合されている。金具部分と調節揺動片との間には、傾斜調節用よろめき伝動装置がそれぞれ設けられ、上部継手が背もたれ揺動軸線として役立つ。【０００５】  米国特許第５，９９７，０９０号明細書に示す車両座席用金具装置では、回転可能な２つの継手円板を持つ金具板が、座部分と背もたれとの間に設けられている。これにより背もたれの種々の位置及び傾斜を設定する下部揺動軸線及び上部揺動軸線が可能にされる。【０００６】  このような金具により、２つの継手を持つ継手装置又は蝶番装置が実現され、これらの継手により、２つの揺動軸線、及び一部は快適範囲内における背もたれの傾斜調節も、水平に前方揺動される背もたれを持つ機能位置も可能にされる。【０００７】  しかし一般に種々の車両に対して、異なる高さ位置にある揺動軸線を持ちかつ異なる調節可能性を持つ異なる寸法の背もたれが必要である。従って公知の装置では、それぞれの金具を取付けるための特別な接続部を持つ異なる背もたれ梁が使用されるので、車両製造者のモデル多様性が増大すると、著しい工具費用及び製造費用が生じる。
【発明の開示】
【発明が解決しようとする課題】
【０００８】  本発明の基礎になっている課題は、僅かな製造費用及び工具費用で、多様な調節可能性を持つ種々の背もたれ装置の構成及び異なる金具の使用性を可能にすることである。
【課題を解決するための手段】
【０００９】  この課題は請求項１に記載の背もたれ梁によって解決される。従属請求項は好ましい展開を示している。【００１０】  本発明の基礎になっている考えは、標準背もたれ梁を使用することであり、上下に配置されて選択的に金具の結合に利用できる２つの接続部が、この標準背もたれ梁に設けられている。この場合接続部の間に所定分離個所が設けられ、この所定分離個所により標準背もたれ梁が、標準化されたやり方で、上部の短い背もたれ梁と下部分離部分とに分割可能なので、ただ１つの標準背もたれ梁から出発して、必要な場合付加的な工具費用なしに僅かな付加的製造費用で、接続部を持つ一層短い背もたれ梁を構成することができる。【００１１】  接続部は、有利なようにそれぞれ穴、例えば中心穴及びこれを包囲する外側穴を持ち、これらの穴のそれぞれ金具を差込んで溶接することができる。この場合座枠に取付けるための下方へ向くフランジ部分を持つフランジ金具、及び軸線方向において背もたれ梁と別の金具部分との間に取付けられる缶状金具を設けることができる。フランジ金具により、一般に傾斜調節が可能である。缶状金具は、快適範囲内での傾斜調節と、傾斜調節及びテーブル位置へ前方揺動するため揺動機能の開始を可能にする。更にフランジ金具及び缶状金具は、軸及び例えばハンドルを介して手による傾斜調節のための回転調節器として構成することもできる。【００１２】  従って本発明によれば、高度の変形多様性が得られる。長い標準背もたれ梁を使用しても、両方の接続部を利用することができ、上部接続部を利用する際、背もたれ梁の下端は適当に後方へ揺動する。分離部分の分離後、短い背もたれ梁の接続部に、フランジ金具を直接又は缶状金具を介して取付けることができる。【００１３】  下部背もたれ梁の接続部に更に中間フランジを取付けることもでき、この中間フランジの下端は、座枠側に設けられ下部金具に取付けられる。従って下部金具により下部揺動軸線を形成し、中間フランジにより上部揺動軸線を形成することができるので、蝶番状又は２継手構成が可能である。中間フランジは例えば傾斜調節機能を持ち、短い背もたれ梁の接続部に直接取付けることができるか、又は短い背もたれ梁の接続部と中間フランジとの間に、上部背もたれ軸線の周りにおける付加的な前方揺動のための缶状金具を取付けることができるので、下部揺動軸線の周りにおける傾斜調節のほかに、上部揺動軸線の周りにおける前方揺動が可能であり、一層高い揺動軸線のため、この前方揺動が座部分クッション上における背もたれの水平な位置を可能にする。【００１４】  前方揺動機能のための付加的な缶状金具の代わりに、前方揺動される機能位置を設定するための鎖錠可能な揺動段として、中間フランジを直接形成することができる。【００１５】  添付図面により、若干の実施例について本発明が以下に説明される。
【発明を実施するための最良の形態】
【００１６】  図１に示す標準背もたれ梁１は、背もたれ枠の左側及び／又は右側で使用することができる。有利なように標準背もたれ梁１は、背もたれ梁の両側に使用され、１つ又は複数の横梁を介して互いに結合される。【００１７】  標準背もたれ梁１の下部範囲には、上部接続部２が設けられ、その上に下部接続部３が設けられている。接続部２，３は、それぞれ１つの中心穴３とこの中心穴４を包囲する複数例えば６つの外側穴５を持っている。これにより、更に後述するように、接続部２，３は金具の取付けに適している。接続部２，３の間には、図５について詳細に説明する所定分離個所６が設けられている。図２〜４は接続部２，３における種々の金具の取付けを示し、金具はそれぞれ突起を穴４，５へ挿入されかつ溶接される。【００１８】  図２によれば、下部接続部３に、金具部分として、座枠へ取付けるための２つの取付け穴１０を持つ下部フランジ金具８が取付けられ、この下部フランジ金具８は、ほぼ直立した使用位置の快適範囲内で、下部接続部３の中心穴４を通って延びる下部背もたれ揺動軸線Ａの周りにおける傾斜調節を可能にし、図２及び３には、中間、前及び後の傾斜調節位置が示されている。フランジ金具８は係止調節器又は回転調節器とすることができる。【００１９】  図３は別の実施形態を示し、下部接続部３には、下部背もたれ揺動軸線Ａの周りにおける傾斜調節のための下部缶状金具１１が取付けられ、この缶状金具１１に座枠側金具部分１２が取付けられている。この場合缶状金具１１は、有利なように係止調節器として設計され、解錠後背もたれ揺動軸線Ａに取付けられる解錠軸を介して、快適範囲内で連続的な調節を可能にし、それぞれの揺動位置で鎖錠を可能にする。鎖錠は、例えば缶状金具１１に設けられかつカムにより制御されて内歯環状歯車に作用する扇形歯車を介して行われる。缶状金具１１は公知であり、図３では金具部分１２により覆われ、従って詳細には示されていない。【００２０】  図４は別の実施形態を示し、上部接続部２に缶状金具１４が取付けられて、上部揺動軸線Ｂの周りに、快適範囲内での傾斜調節も、ほぼ水平な機能位置例えばテーブル位置への標準背もたれ梁１（従って背もたれ全体）の前方揺動も可能にする。座枠側金具部分１５は、図３の金具部分１２より適当に高く形成されている。上部揺動軸線Ｂの高い位置のため、背もたれの背もたれ梁１は座席の座部分クッション上へ倒すことができる。【００２１】  図５によれば、標準背もたれ梁１は、所定分離個所６に沿う分離により、上部接続部２を持つ短い背もたれ梁１６と、下部接続部３を持つ利用されない別の分離部分１７とに分離することができる。これは、ただ１つの切断による鋸引きによって行うことができる。図６〜１３によれば、短い背もたれ梁１６は、異なる金具の取付けのために使用することができる。【００２２】  図６の実施形態では、短い背もたれ梁１６の接続部２に、図４において既に使用された傾斜調節機能及び揺動機能付きの缶状金具１４が取付けられ、従って快適範囲内における短い背もたれ梁１６の揺動、及び背もたれのほぼ水平な機能位置（例えばテーブル位置又は後にある荷物室を増大するための荷積み位置）への短い背もたれの前方揺動���可能にする。その代わりに、前方揺動なしの傾斜調節のみを行う図３の缶状金具１１の使用も可能である。【００２３】  図７によれば、短い背もたれ梁１６の接続部２に中間フランジ２０が取付けられ、図２に既に示した傾斜調節用フランジ金具８が中間フランジ２０に取付けられている。従って短い背もたれ梁１６は、中間フランジ２０と共に、フランジ金具８を通る背もたれ揺動軸線Ａの周りに揺動可能である。【００２４】  図８の実施例では、更に短い背もたれ梁１６の接続部２と中間フランジ２０との間に、図４及び６に既に示した前方揺動機能付き缶状金具１４が取付けられている。従って下部軸線Ａの周りにおける傾斜調節、又は（缶状金具１４の解錠後）上部揺動軸線Ｂの周りに水平なテーブル位置又は荷積み位置への背もたれ梁１６の前方揺動を選択的に行うことができる。【００２５】  図９において、背もたれ梁１６の接続部２に長い中間フランジ２４が取付けられ、その下部接続部に、図３に従って傾斜調節用缶状金具１１を介して座枠側金具部分１２が取付けられている。従って長い中間フランジ２４は、図３による標準背もたれ枠１を持つ実施形態におけるのと同じ機能を得るために、即ち下部背もたれ揺動軸線Ａの周りにおける揺動を行うために、短い背もたれ梁を延長するのに役立つ。【００２６】  図１０の実施形態では、短い背もたれ梁１６と缶状金具１４の中間フランジ２４との間に、更に揺動機能を持つ缶状金具１４が接続されているので、例えば図８において得られるのと同じ機能が得られ、即ち下部背もたれ揺動軸線Ａの周りの傾斜調節と、（上部缶状金具１４の解錠後）機能位置へ上部背もたれ揺動軸線Ｂの周りの前方揺動が行われる。【００２７】  図１１の実施形態では、下部背もたれ揺動軸線Ａに、既に図７に示したフランジ継手８が設けられ、このフランジ継手８に中間フランジとして揺動段２８が取付けられて、上部周囲に２つの切欠き２９，３０を持ち、短い背もたれ梁１６に枢着される爪３２が鎖錠のためこれらの切欠きへはめられ、解錠のため外される。この場合爪３２は、短い背もたれ梁１６に取付けられるばね３４（図示した実施形態では引張りばね）により、鎖錠位置へ予荷重をかけられている。図１１では、爪３２がばね予荷重を受けて使用位置のための第１の切欠き２９へはまっているので、背もたれ梁１６は、下部背もたれ揺動軸線Ａの周りに快適範囲内でのみ傾斜調節可能である。ばね予荷重に抗して爪３２を操作した後、短い背もたれ梁１６は上部揺動軸線Ｂの周りに前方揺動可能であり、図１２のテーブル位置で爪３２が、ばね予荷重によりテーブル位置のための第２の切欠き３０へはまって、この位置を確保する。【００２８】  図１３は別の実施形態を示し、既に図９及び１０に示した下部フランジ金具１２に、揺動段３６が中間フランジとして背もたれ揺動軸線Ａに揺動可能に取付けられている。揺動段３６は、再び図１１及び１２に従って、その上部周囲に切欠き２９，３０を持ち、揺動位置で鎖錠爪３２が切欠きへはまる。【００２９】  従って図１１，１２及び１３の実施形態では、上部揺動軸線Ｂの周りの揺動のために、短い背もたれ枠の接続部２に付加的な上部缶状金具は必要でない。
【図面の簡単な説明】
【００３０】
【図１】  金具を取付けられていない２つの接続部を持つ分割されない標準背もたれ梁を直立使用位置で示す。
【図２】  ３つの傾斜位置への傾斜調節のため下部接続部に取付けられたフランジ金具を持つ図１の標準背もたれ梁を示す。
【図３】  ３つの傾斜位置への快適範囲内での傾斜調節のため係止調節器として下部接続部に取付けられる缶状金具を持つ標準背もたれ梁を示す。
【図４】  ３つの傾斜位置への快適範囲での傾斜調節のため及び前方揺動されるテーブル位置を設定するため上部接続部に取付けられた缶状金具を持つ標準背もたれ梁を示す。
【図５】  下部範囲の分離により標準背もたれ梁から形成されかつ接続部を持つ短い背もたれ梁を示す。
【図６】  快適範囲内での傾斜調節及びテーブル位置の設定のため係止調節器としての缶状金具を持つ短い背もたれ梁を示す。
【図７】  接続部に設けられる中間フランジ及びこれに取付けられる傾斜調節用フランジ金具を持つ図６の短い背もたれ梁を示す。
【図８】  短い背もたれ梁の接続部に付加的に取付けられて前方揺動されるテーブル位置を設定するための係止調節器を持つ缶状金具を持つ図７の短い背もたれ梁を示す。
【図９】  短い背もたれ梁の接続部に設けられる長い中間フランジ及びその下部接続部に取付けられる傾斜調節用缶状金具を持つ短い背もたれ梁を示す。
【図１０】  短い背もたれ梁の接続部と中間フランジとの間に付加的に取付けられてテーブル位置への前方揺動缶状金具を持つ図９の短い背もたれ梁を示す。
【図１１】  鎖錠爪と短い背もたれ梁の接続部に設けられて傾斜調節用フランジ金具の下に結合される揺動段付き中間フランジとを持つ短い背もたれ梁を示す。
【図１２】  揺動段の鎖錠された前方揺動テーブル位置にある短い背もたれ梁を示す。
【図１３】  短い背もたれ梁の接続部に設けられる揺動段付きの長い中間フランジ及びこの中間フランジの下端に取付けられる傾斜調節用缶状金具を持つ短い背もたれ梁を示す。
【符号の説明】
【００３１】  １        標準背もたれ梁
２        上部接続部
３        下部接続部
８，１２  金具部分
１１，１４  缶状金具
１６        短い背もたれ梁
１７        分離される部分
２０，２４，２８，３６    中間フランジ
【図１】
2006181367.tif 000003
【図２】
2006181367.tif 000004
【図３】
2006181367.tif 000005
【図４】
2006181367.tif 000006
【図５】
2006181367.tif 000007
【図６】
2006181367.tif 000008
【図７】
2006181367.tif 000009
【図８】
2006181367.tif 000010
【図９】
2006181367.tif 000011
【図１０】
2006181367.tif 000012
【図１１】
2006181367.tif 000013
【図１２】
2006181367.tif 000014
【図１３】
2006181367.tif 000015